(57)【要約】  【課題】潤滑性能の確保と製造コストの低減との両立を図ること。  【解決手段】外輪１の両側に鍔部５の端部をころ２の端面に向けて折曲し、ころ２の端面と、鍔部５の端部と、および保持器３の円環部８の外径面とで囲まれる空間を、潤滑剤保持空間１０としている。【選択図】図１
2005114111.tif 000002
【特許請求の範囲】
【請求項１】
端部に鍔部を備えた外輪と、外輪の軌道部に配置される複数のころと、ころを保持する保持器とを備えたころ軸受であって、
鍔部はころの端面に向けて折曲げられた端部を備え、
保持器は軸方向外側に延びて外径面が鍔部の端部の内径面に当接する端部を備え、
当該鍔部の端部の内径面と保持器の端部の外径面ところの端面とで囲む空間で潤滑剤の保持空間を構成した、ことを特徴とするころ軸受。
【請求項２】
鍔部の端部の内径面を、ころの端面に向けて拡径する傾斜面の形状とした、ことを特徴とする請求項１に記載のころ軸受。
【発明の詳細な説明】
【技術分野】
【０００１】
本発明は、端縁に鍔の有る外輪の軌道部に配置した複数のころを保持器で保持したころ軸受に関する。
【背景技術】
【０００２】
ころ軸受には、外輪の鍔を外輪軌道部に対しほぼ直角に折曲するタイプと、外輪軌道部に重ねるよう折曲するタイプとがある（例えば、特許文献１参照）。
【特許文献１】実公昭５２−３０４２７号公報
【発明の開示】
【発明が解決しようとする課題】
【０００３】
前者のタイプでは、ころを保持器に一体保持してなる組品を外輪に組込み、その後で鍔を後曲しているので、潤滑剤保持空間を確保しやすいが、鍔の後曲げのために焼鈍等の加工工数が多くかかり製造コストが高くつく。
【０００４】
後者のタイプでは、鍔を先曲し、保持器を外輪に組込んで、ころを保持器の径方向内方からはめ込むため、鍔の後曲げが不要となって上記加工工数の削減により製造コストが低減するが、潤滑剤保持空間を確保しにくい。
【課題を解決するための手段】
【０００５】
本発明によるころ軸受は、端部に鍔部を備えた外輪と、外輪の軌道部に配置される複数のころと、ころを保持する保持器とを備えたころ軸受であって、鍔部はころの端面に向けて折曲げられた端部を備え、保持器は軸方向外側に延びて外径面が鍔部の端部の内径面に当接する端部を備え、当該鍔部の端部の内径面と保持器の端部の外径面ところの端面とで囲む空間で潤滑剤の保持空間を構成したことを特徴とするものである。
【０００６】
本発明のころ軸受によると、鍔部をころの端面に向けて折曲げてあるから、ころと保持器とを外輪の軌道部に組み込んだ後に鍔部を後曲げする必要がなくなり、その後曲げのための焼鈍等の熱処理工程が不要となって製造コストを低減できる一方で、ころの端面と鍔部の端部の内径面と保持器の外径面とで囲まれた潤滑剤保持空間により潤滑剤を保持させられる結果、低荷重・高速条件下で使用しても、潤滑剤の枯渇を抑え、要求される潤滑性能を長期に亙って維持でき、ころ軸受の寿命をこの種の従来のころ軸受よりも延長できる。
【０００７】
本発明では、鍔部の端部の内径面をころの端面に向けて漸次に拡径する傾斜面形状とすると簡単な構成で潤滑剤保持空間を形成できる点で好ましい。
【発明の効果】
【０００８】
本発明のころ軸受によれば、所要の潤滑性能の確保と製造コストの低減との両立を図れるものとなる。
【発明を実施するための最良の形態】
【０００９】
以下、図面を参照して本発明による最良の形態のころ軸受を説明する。図１はころ軸受の全体断面図、図２は図１のＣ−Ｃ断面矢視図、図３は外輪の一部破断斜視図である。
【００１０】
これらの図において、ころ軸受Ａは、外輪１、針状ころ２、保持器３を備える。外輪１は軌道部４の両側に環状の鍔部５，６を有する。両鍔部５，６は、径方向内方からさらに外輪１の軌道部４に向けて捲き込むように折曲されており、両鍔部５，６の最小の内径Ｄ１は互いに等しい。鍔部５，６の内径面は、軸方向内方に順次大径となる傾斜面５ａ，６ａとされている。
【００１１】
保持器３は金属あるいは樹脂から環状に形成される。その外径Ｄ２は鍔部５，６の内径Ｄ１よりもわずかに小さく設定されている。保持器３の軸方向幅Ｂ１は外輪１の軸方向幅Ｂ２よりも小さく形成され、この軸方向幅Ｂ１は鍔部５，６の捲き込み部分、すなわち内径側隅部５ｂ，６ｂの間の軸方向幅よりもわずかに大きく設定されている。保持器３の軸方向中心領域に、周方向等間隔毎にころ装着用のポケット７が複数形成され、各ポケット７の周方向間は柱部１５とされている。保持器６は、ポケット７の軸方向両側端部に軸方向に延設された円環部８，９を備える。ポケット７は内径側に向けて周方向幅が漸次縮小するころ案内面７ａ，７ｂを有する。
【００１２】
両鍔部５，６の内径側隅部５ｂ，６ｂは、保持器３の円環部８，９の外径面８ａ，９ａの案内部として用いられ、両鍔部５，６の軸方向内方端面５ｃ，６ｃは針状ころ２の端面２ａ，２ａの案内面とされている。なお、ポケット７の軸方向幅Ｂ３と、両鍔部５，６の軸方向内方端面５ｃ，６ｃ間の軸方向幅Ｂ４とは、ほぼ等しく設定されている。
【００１３】
保持器３および針状ころ２を外輪１に組付けた状態で、針状ころ２の端面２ａ，２ａ、鍔部５，６の傾斜面５ａ，６ａ、および保持器３の円環部８，９の外径面８ａ，９ａとで囲まれる空間が、潤滑剤保持空間１０，１１とされている。潤滑剤には潤滑油、グリース等の潤滑剤がある。グリースは、潤滑油中に増ちょう剤を分散させて半固体または固体状にしたものである。グリースは何でもよいが、例えば、増ちょう剤別に種々に分類され、また、基油別にも種々に分類される。
【００１４】
以上の構成のころ軸受Ａの組立を説明する。まず外輪１については両側を径方向内方から軸方向内方の軌道部４に向けて捲き込むように折曲して鍔部５，６を形成する。この場合、鍔部５，６それぞれの内径面が、軸方向内方に順次大径となるよう折曲することで傾斜面５ａ，６ａとする。その後、外輪１に熱処理を施して所定の硬度を付与する。
【００１５】
このようにした外輪１に、上記構成を有する保持器３を軸方向一方側開口１ａ（あるいは開口１ｂ）から組込む。このとき、保持器３の外径Ｄ２は、鍔部５，６の最小内径Ｄ１よりもわずかに小さく設定されているので容易に装着できる。続いて外輪１と保持器３それぞれの軸方向中心を位置合わせし、この位置合わせの状態で、針状ころ２をポケット７に装着する。この場合、針状ころ２は両鍔部５，６の軸方向内方端面５ｃ，６ｃ間に配置されるとともにポケット７の案内面７ａ，７ｂで保持される。
【００１６】
この状態で、針状ころ２の端面２ａ，２ａ、鍔部５，６の傾斜面５ａ，６ａ、および保持器３の円環部８，９の外径面８ａ，９ａとで囲まれてなる潤滑剤保持空間１０，１１が形成される。
【００１７】
したがって上記組立て時に、例えば鍔部５，６の傾斜面５ａ，６ａに潤滑剤例えばグリースを施しておくことで、ころ軸受Ａの使用時、すなわち針状ころ２および保持器３の回転時に、必要に応じて針状ころ２の端面２ａ，２ａと鍔部５，６の軸方向内方端面５ｃ，６ｃとの接触部、あるいは針状ころ２と軌道部４の外輪軌道面４ａとの接触部、あるいは保持器３の円環部８，９の外径面８ａ，９ａと鍔部５，６の内径側隅部５ｂ，６ｂとの接触部にグリースの油分が供給され、これら接触部を潤滑する。このように鍔部５，６それぞれの内径面を傾斜面５ａ，６ａとした簡単な構成でもって、従来のころ軸受に比べてその寿命を延長することができる。
【００１８】
さらに、一方側の鍔部を折曲形成したのち針状ころを装着した保持器を外輪に組込み、他方側の鍔部を折曲形成して製造するようにした従来のころ軸受に比べて、焼鈍のための熱処理工程を削減できるなど、製造工程を一部省略して、製造コストを低減することができる。
【００１９】
図４は、別の好ましい形態を示すころ軸受Ａの断面図である。このころ軸受Ａが図１〜図３に示した構成と異なる部分は、一方の鍔部６が軌道部４に密着されるよう折曲されている点である。他の構成は上記実施の形態と同様であるので、同一の符号を付してその説明を省略する。
【００２０】
この構成において、鍔部６が軌道部４に密着されるよう折曲されている分だけ、針状ころ２の端面２ａ、鍔部６の傾斜面６ａ、および保持器３の円環部８の外径面８ａとで囲まれる環状の空間、すなわち潤滑剤保持空間１１が大きくなるから、長期に亙って所定の潤滑性を確保でき、ころ軸受Ａの寿命を延長することができる。また、従来のころ軸受に比べて製造工程を一部省略できることで、製造コストを低減することができる。
【００２１】
図５は、さらに別の好ましい実施の形態を示すころ軸受１の断面図である。このころ軸受Ａが図１〜図３に示した構成と異なる部分は、一方の鍔部５が軌道部４に平行になるよう折曲されている点である。他の構成は上記実施の形態と同様であるので、同一の符号を付してその説明を省略する。
【００２２】
この構成の場合、潤滑剤保持空間１１は片側のみであり、針状ころ２の端面２ａ、鍔部６の傾斜面６ａ、および保持器３の円環部８の外径面８ａとで囲まれる部分となる。しかし、潤滑剤保持空間１１が片側のみであっても、この潤滑剤保持空間１１にグリースを保持するだけで、その分だけ従来のころ軸受に比べて潤滑性が向上し、ころ軸受Ａの寿命を延長することができる。また、従来のころ軸受に比べて製造工程を一部省略できることで、製造コストを低減することができる。
【図面の簡単な説明】
【００２３】
【図１】本発明の最良の形態のころ軸受の断面図
【図２】図１のＣ−Ｃ断面矢視図
【図３】外輪の一部破断斜視図
【図４】別の好ましい実施の形態のころ軸受の断面図
【図５】さらに別の好ましい実施の形態のころ軸受の断面図
【符号の説明】
【００２４】
１          外輪
２          針状ころ
３          保持器
５，６      鍔部
５ａ，６ａ  傾斜面
７          ポケット
８，９      円環部
１０，１１  潤滑剤保持空間
Ａ          ころ軸受
【図１】
2005114111.tif 000003
【図２】
2005114111.tif 000004
【図３】
2005114111.tif 000005
【図４】
2005114111.tif 000006
【図５】
2005114111.tif 000007